【手続補正書】
【提出日】平成17年8月30日(2005.8.30)
【手続補正１】
【補正対象書類名】明細書
【補正対象項目名】０００６
【補正方法】変更
【補正の内容】
【０００６】
図１０に、従来の歪み特性が良好な電力増幅装置１１１３を示す（例えば、特許文献１参照。）。図１０の電力増幅装置１１１３は、入力端子１１０１、整合回路１１０２、１１０６、１１１０、ＦＥＴ１１０３、インダクタ１１０４、１１０９、キャパシタ１１０５、１１０８、２倍波短絡回路１１０７、出力端子１１１１、バイアス供給端子１１１２から構成される。
【手続補正２】
【補正対象書類名】明細書
【補正対象項目名】００１０
【補正方法】変更
【補正の内容】
【００１０】
２倍波短絡回路１１０７は、被変調波の周波数の高調波に対して短絡となる回路であり、例えば１／４波長ストリップラインである。
【手続補正３】
【補正対象書類名】明細書
【補正対象項目名】０１０１
【補正方法】変更
【補正の内容】
【０１０１】
誘電体基板７１の下層に配置された誘電体基板７２には、シールド電極が形成されており、誘電体基板７２の下層に配置された誘電体基板７３には、２倍波短絡／バイアスチョーク回路２４ａ及び２４ｂ、インダクタ３０が形成されており、誘電体基板７３と、誘電体基板７２及び誘電体基板７４のシールド電極である接地層との間にバイパスキャパシタ２５ａ及び２５ｂが形成されている。
【手続補正４】
【補正対象書類名】明細書
【補正対象項目名】０１０５
【補正方法】変更
【補正の内容】
【０１０５】
半導体基板７７の下層には、誘電体基板７８が積層されており、誘電体基板７８には、２倍波短絡／バイアスチョーク回路２４ａ及び２４ｂ、キャパシタ２７ａ及び２７ｂが形成されており、誘電体基板７８と、誘電体基板７９のシールド電極である接地層との間にバイパスキャパシタ２５ａ及び２５ｂが形成されている。誘電体基板７８の下層にはシールド電極が形成された誘電体基板７９が形成されており、その下層には誘電体基板８０が形成されている。誘電体基板８０にはキャパシタ３１及び３２、及びインダクタ３０が形成されている。
【手続補正５】
【補正対象書類名】明細書
【補正対象項目名】０１０９
【補正方法】変更
【補正の内容】
【０１０９】
誘電体基板８４の下層には、シールド電極が形成された誘電体基板８５が形成されており、その下層には誘電体基板８６が形成されている。誘電体基板８６には、インダクタ３８、３３及び３４、及び２倍波短絡／バイアスチョーク回路６４ａ及び６４ｂが形成されており、誘電体基板８６と、誘電体基板８５のシールド電極である接地層との間にバイパスキャパシタ２５ａ及び２５ｂが形成されている。
【手続補正６】
【補正対象書類名】明細書
【補正対象項目名】０１５８
【補正方法】変更
【補正の内容】
【０１５８】
なお、第２の実施の形態の電力増幅装置６２のうち、ＦＥＴ４２ｃ、２倍波短絡回路４３ｃ及び４３ｄ、反転増幅器４５ｂ、キャパシタ４４ｂ及び４６ｂ、キャパシタ２７ｂを設けない構成の電力増幅器であっても本実施の形態と同等の効果を得ることが出来る。
【手続補正７】
【補正対象書類名】明細書
【補正対象項目名】０１６０
【補正方法】変更
【補正の内容】
【０１６０】
さらに、第２の実施の形態の電力増幅装置６２では、増幅信号が出力端子に出力されるＦＥＴ４２ａ及びＦＥＴ４２ｃは２個であり、変調波の周波数の信号を打ち消すためのＦＥＴ４２ｂは１個使用されているがこれに限らない。変調波の周波数の信号を打ち消すためのＦＥＴを一つ設け、増幅信号が出力端子に出力されるＦＥＴを（Ｎ−１）個設けた電力増幅器であってもよい。この場合（Ｎ−１）個のＦＥＴのそれぞれＦＥＴのゲートには、被変調波の周波数の信号をＮ分配する整合回路／分配回路のそれぞれの出力が接続されている。また変調波の周波数の信号を打ち消すためのＦＥＴのゲートには、この整合回路／分配回路の残りの出力が接続されている。そして、（Ｎ−１）個のＦＥＴのそれぞれのＦＥＴと変調波の周波数の信号を打ち消すためのＦＥＴとの間には、それぞれ図４の２倍波短絡回路４３ｂ、キャパシタ４６ａ、反転増幅器４５ａ、キャパシタ４４ａ、２倍波短絡回路４３ａ、及びキャパシタ２７ａの回路部分と同等の回路構成を有する回路が接続される。また、（Ｎ−１）個のＦＥＴのそれぞれのＦＥＴから出力された信号は、それぞれのＦＥＴのキャパシタ２７ａと同等のキャパシタを経由して、（Ｎ−１）個の入力を合成してインピーダンスを整合させる合成回路／整合回路から出力端子２９に出力されるものとする。
【手続補正８】
【補正対象書類名】明細書
【補正対象項目名】０１６４
【補正方法】変更
【補正の内容】
【０１６４】
また、例えばＦＥＴ４２ｂのドレインからＦＥＴ４２ａのドレインに至る経路上の回路部分のうち、２倍波短絡回路４３ｂ及びキャパシタ４６ａ及び反転増幅器４５ａを、ＦＥＴ４２ｂのドレインからＦＥＴ４２ｃのドレインに至る経路上の回路部分のうちの２倍波短絡回路４３ｃ及びチャパシタ４６ｂ及び反転増幅器４５ｂとを共通化することが出来る。すなわち、ＦＥＴ４２ｂのドレインに２倍波短絡回路の一方を接続し、その２倍波短絡回路の他方にキャパシタの一方及び反転増幅器の入力を接続し、そのキャパシタの他方は接地し、反転増幅器の出力に図示していない分配回路の入力を接続し、その分配回路で２分配された出力を２倍波短絡回路４３ａの他方及び２倍波短絡回路４３ｄの他方に接続し、２倍波短絡回路４３ａ及び４３ｄの他方に、キャパシタ４４ａ及び４４ｂを接続する。
【手続補正９】
【補正対象書類名】明細書
【補正対象項目名】０１６５
【補正方法】変更
【補正の内容】
【０１６５】
また、例えばＦＥＴ４２ｂのドレインからＦＥＴ４２ａのドレインに至る回路部分のうち、２倍波短絡回路４３ｂ及びキャパシタ４６ａ及び反転増幅器４５ａ及びキャパシタ４４ａを、ＦＥＴ４２ｂのドレインからＦＥＴ４２ｃのドレインに至る回路部分のうちの２倍波短絡回路４３ｃ及びキャパシタ４６ｂ及び反転増幅器４５ｂ及びキャパシタ４４ｂとを共通化することが出来る。すなわち、ＦＥＴ４２ｂのドレインに２倍波短絡回路の一方を接続し、その２倍波短絡回路の他方にキャパシタの一方及び反転増幅器の入力を接続し、そのキャパシタの他方は接地し、反転増幅器の出力にキャパシタ及び図示していない分配回路の入力を接続し、そのキャパシタの他方は接地し、その分配回路で２分配された出力を２倍波短絡回路４３ａの他方及び２倍波短絡回路４３ｄの他方に接続する。
【手続補正１０】
【補正対象書類名】明細書
【補正対象項目名】０１６６
【補正方法】変更
【補正の内容】
【０１６６】
また、例えば、ＦＥＴ４２ｂのドレインからＦＥＴ４２ａのドレインに至る回路部分のうち、２倍波短絡回路４３ｂ及びキャパシタ４６ａ及び反転増幅器４５ａ及びキャパシタ４４ａ、２倍波短絡回路４３ａを、ＦＥＴ４２ｂのドレインからＦＥＴ４２ｃのドレインに至る回路部分のうちの２倍波短絡回路４３ｃ及びキャパシタ４６ｂ及び反転増幅器４５ｂ及びキャパシタ４４ｂ、２倍波短絡回路４３ｄとを共通化することが出来る。すなわち、ＦＥＴ４２ｂのドレインに２倍波短絡回路の一方を接続し、その２倍波短絡回路の他方にキャパシタの一方及び反転増幅器の入力を接続し、そのキャパシタの他方は接地し、反転増幅器の出力にキャパシタ及びもう一つの２倍波短絡回路の他方を接続し、その２倍波短絡回路の他方に図示していない分配回路の入力を接続し、その分配回路で２分配された出力をＦＥＴ４２ａのドレイン及びＦＥＴ４２ｃのドレインに接続する。
【手続補正１１】
【補正対象書類名】明細書
【補正対象項目名】０１７０
【補正方法】変更
【補正の内容】
【０１７０】
そして、合成回路／整合回路２８も同様に共通化する。すなわち、共通化するとは、２つの合成回路／整合回路２８を一つの合成回路／整合回路によりとして実現することを意味する。従ってこのように共通化した合成回路／整合回路２８は、４つの増幅信号を合成して一つの出力端子２９に出力するとともにそのインピーダンスを整合させるものとなる。そして、一方の電力増幅装置６２のキャパシタ２７ａ及び２７ｂを通過した増幅信号が共通化された合成回路／整合回路の２つの入力に入力され、他方の電力増幅装置６２のキャパシタ２７ａ及び２７ｂを通過した増幅信号が共通化された合成回路／整合回路２８の残りの２つの入力に入力されるものとする。そして、これら４つの増幅信号が共通化された合成回路／整合回路で合成されるとともに、インピーダンスが整合されて一つの出力端子２９から出力されるものとする。
【手続補正１２】
【補正対象書類名】明細書
【補正対象項目名】０１７１
【補正方法】変更
【補正の内容】
【０１７１】
このようにすれば、第１の実施の形態の電力増幅装置６１、及び第２の実施の形態の電力増幅装置６２、及び第２の実施の形態で説明した電力増幅装置６２を変形した電力増幅装置を複数個及び／または複数種類組み合わせた電力増幅装置も得ることが出来る。このように本実施の形態の電力増幅装置を複数個及び／または複数種類組み合わせた電力増幅装置の整合回路／分配回路は、組み合わせる前の各整合回路／分配回路を上記と同様に共通化したものを用いる。また、同様に本実施の形態の電力増幅装置を複数個及び／または複数種類組み合わせた電力増幅装置の合成回路／整合回路は、組み合わせる前の各合成回路／整合回路を上記と同様に共通化したものを用いる。このように本実施の形態の電力増幅装置を組み合わせた電力増幅装置も本実施の形態と同等の効果を得ることが出来る。